(57)【要約】      （修正有）【課題】収容された内容物を迅速且つ容易に取り出せる食品包装用袋を提供する。【解決手段】重なり合う合成樹脂製の一対のフィルム１の左右両側部において上下方向に延在し、一対のフィルム１を接着している一対の側部接着部２ａ，２ｂと、両端部がそれぞれ一対の側部接着部２ａ，２ｂの下部にそれぞれ連設され、一対のフィルム１を接着している下部接着部３とに囲われた空間に形成された液体収容部４を備える。下部接着部３は、第１接着部６と第２接着部７とを含み、第１接着部６は、一方の端部６ａが一対の側部接着部２ａ，２ｂの何れか一方に連なり、第２接着部７は、一方の端部７ａが第１接着部６の他方の端部６ｂに連なると共に、他方の右上端部７ｂが他方の側部接着部２ｂとの内角が鈍角をなすように他方の側部接着部２ｂに連なり、第１接着部６の他方の端部６ｂと第２接着部７の一方の端部７ａとは、一対のフィルム１の左右方向における一対の側部接着部２ａ，２ｂの中央よりも一方の側部接着部側２ａの位置において連なる。【選択図】図１
0003182394.tif 000002
【実用新案登録請求の範囲】
【請求項１】
重なり合う合成樹脂製の一対のフィルムの左右両側部において上下方向に延在し、前記一対のフィルムを接着している一対の側部接着部と、両端部がそれぞれ前記一対の側部接着部の下部にそれぞれ連設され、前記一対のフィルムを接着している下部接着部とに囲われた空間に形成された液体収容部を備え、
前記下部接着部は、第１接着部と第２接着部とを含み、
前記第１接着部は、一方の端部が前記一対の側部接着部の何れか一方に連なり、
前記第２接着部は、一方の端部が前記第１接着部の他方の端部に連なると共に、他方の端部が他方の前記側部接着部との内角が鈍角をなすように該他方の側部接着部に連なり、
前記第１接着部の他方の端部と前記第２接着部の一方の端部とは、前記一対のフィルムの左右方向における前記一対の側部接着部の中央よりも前記一方の側部接着部側の位置において連なる、食品包装用袋。
【請求項２】
前記第２接着部は、前記第１接着部との内角が鈍角をなすように一方の端部が前記第１接着部の他方の端部に連なる、請求項１に記載の食品包装用袋。
【請求項３】
前記第１接着部は、前記一対のフィルムの下縁部に形成されている、請求項１又は２に記載の食品包装用袋。
【請求項４】
前記一対のフィルムは、長方形に形成され、
前記一対のフィルムの下縁、前記他方の側部接着部が形成されている側の前記一対のフィルムの側縁、及び前記第２接着部によって囲まれる領域が摘み部を構成している、請求項１乃至３の何れかに記載の食品包装用袋。
【考案の詳細な説明】
【技術分野】
【０００１】
本考案は、食品包装用袋に関し、特に比較的粘度の高い食品たれ等の液体を包装する食品包装用袋に関する。
【背景技術】
【０００２】
従来、液体を包装する袋が知られている（例えば、特許文献１参照）。
【０００３】
この袋は、二枚のプラスチックフィルムを重ね合わせて両サイド及び底面に沿ってヒートシールを行った袋であって、両サイドと底辺シールが交わるコーナー部分に直角のコーナーが無くなるようにヒートシールしたコーナーシールが施されている。
【先行技術文献】
【特許文献】
【０００４】
【特許文献１】登録実用新案第第３０４５５１３号公報
【考案の概要】
【考案が解決しようとする課題】
【０００５】
しかし、上記従来の袋は、この袋に比較的粘度の高い液体が収容されている場合、袋を傾けて袋の口から内容物を流し出そうとしても、袋の底に内容物が滞留し、包装用袋から容易に内容物が取り出せない場合があった。
【０００６】
また、袋の両サイド又は底辺シールとコーナーシールとが連なっているそれぞれの部分に残留した内容物を押し出すときは、近接しているそれぞれの部分を指先で押すという細かい手先の作業を要し、容易にこの部分に残留した内容物を取り出せない場合があった。
【課題を解決するための手段】
【０００７】
上記課題を解決するために、本考案のある態様に係る食品包装用袋は、重なり合う合成樹脂製の一対のフィルムの左右両側部において上下方向に延在し、前記一対のフィルムを接着している一対の側部接着部と、両端部がそれぞれ前記一対の側部接着部の下部にそれぞれ連設され、前記一対のフィルムを接着している下部接着部とに囲われた空間に形成された液体収容部を備え、前記下部接着部は、第１接着部と第２接着部とを含み、前記第１接着部は、一方の端部が前記一対の側部接着部の何れか一方に連なり、前記第２接着部は、一方の端部が前記第１接着部の他方の端部に連なると共に、他方の端部が他方の前記側部接着部との内角が鈍角をなすように該他方の側部接着部に連なり、前記第１接着部の他方の端部と前記第２接着部の一方の端部とは、前記一対のフィルムの左右方向における前記一対の側部接着部の中央よりも前記一方の側部接着部側の位置において連なる。
【０００８】
この構成によれば、他方の側部接着部が一方の側部接着部よりも下側になる姿勢となるように食品包装用袋を支持することにより、第２接着部が大きく傾斜する。したがって、この第２接着部の傾斜を用いて、液体収容部に収容された内容物を迅速に流し出すことができる。
【０００９】
また、第２接着部の両端部が離れて位置するので、第２接着部の両端部をそれぞれ押さえて、第２接着部の両端部に残留している内容物を容易に追い出すことができる。
【００１０】
前記第２接着部は、前記第１接着部との内角が鈍角をなすように一方の端部が前記第１接着部の他方の端部に連なっていてもよい。
【００１１】
このような構成とすると、更に第１接着部の一方の端部と第２接着部の一方の端部とが連なっている部分に残留している内容物を容易に取り出すことができる。
【００１２】
前記第１接着部は、前記一対のフィルムの下縁部に形成されていてもよい。
【００１３】
このような構成とすると、液体収容部の容積を大きくすることができる。
【００１４】
前記一対のフィルムは、矩形に形成され、前記一対のフィルムの下縁、前記他方の側部接着部が形成されている側の前記一対のフィルムの側縁、及び前記第２接着部によって囲まれる領域が摘み部を構成していてもよい。
【００１５】
このような構成とすると、液体収容部に収容されている内容物が加熱されている場合においても、摘み部を指で摘むことによって、内容物の熱さを感じることなく、食品包装用袋を支持することができる。
【考案の効果】
【００１６】
本考案は、以上に説明したように構成され、食品包装用袋に収容された内容物を迅速且つ容易に取り出すことができるという効果を奏する。
【図面の簡単な説明】
【００１７】
【図１】本考案の実施の形態に係る食品包装用袋の構成例を示す正面図である。
【図２】図１の食品包装用袋のＡ−Ａ矢視図である。
【図３】図１の食品包装用袋の使用例を示す図である。
【図４】図１の食品包装用袋の使用例を示す図である。
【図５】図１の食品包装用袋の使用例を示す図である。
【図６】図１の食品包装用袋の使用例を示す図である。
【考案を実施するための形態】
【００１８】
以下、本考案の実施の形態を、図面を参照しながら説明する。なお、以下では全ての図を通じて同一又は相当する要素には同じ参照符号を付して、その重複する説明を省略する。
【００１９】
［構成］
図１は、本考案の実施の形態に係る包装用袋（食品包装用袋）１００の構成例を示す正面図である。図２は、包装用袋１００の構成例を示すＡ−Ａ矢視図である。
【００２０】
なお、図１における右側を右といい、同図における左側を左といい、同図における上側を上といい、同図における下側を下ということがある。
【００２１】
本実施の形態において、包装用袋１００は、例えば、比較的粘度の高いたれ、ソース、ドレッシング等の食品を収容するものであるがこれに限られない。
【００２２】
図１及び図２に示すように、本実施の形態の包装用袋１００は、重なり合う合成樹脂製の一対のフィルム１を接着して形成された液体収容部４を備える。液体収容部４は、一対のフィルム１の左側に形成されている側部接着部２ａと、一対のフィルム１の右側に形成されている側部接着部２ｂと、一対のフィルム１の下側に形成されている下部接着部３と、によって囲われた空間に形成されている。側部接着部２ａ及び側部接着部２ｂが一対の側部接着部２ａ，２ｂを構成する。なお、接着とは、機械的、物理的又は科学的な作用によって２つの面が結合した状態をいい、接着剤を媒介とするものに限られず、融着等も含む。
【００２３】
フィルム１は、縦長の長方形に形成されている。
【００２４】
一対の側部接着部２ａ，２ｂは、一対のフィルム１の左右それぞれの縁部をヒートシールすることによって形成されている。本実施の形態において、左側の側部接着部２ａは、一対のフィルム１の左側の縁部の上端から下端まで延びている。また、右側の側部接着部２ｂは、一対のフィルム１の右側の縁部の上端から中間部まで延びている。なお、一対のフィルム１の右側の縁部の側部接着部２ｂの下端から下方にもヒートシールが施されているが、これを省略してもよい。
【００２５】
下部接着部３は、一対のフィルム１の下縁全体をヒートシールして下縁ヒートシール部８を形成すると共に、フィルム１の下縁の中間部と右側縁の中間部とを結ぶ傾斜した直線に沿ってフィルム１をヒートシールして傾斜ヒートシール部９を形成することによって形成されている。
【００２６】
そして、下縁ヒートシール部８の左端部、即ち、左側の側部接着部２ａと下縁ヒートシール部８とが連なっている部分から傾斜ヒートシール部９の左下端部、即ち、下縁ヒートシール部８と傾斜ヒートシール部９とが連なっている部分までの部分が第１接着部６を構成している。このように、第１接着部６は、一対のフィルム１の下縁に形成されているので、液体収容部４の容積を大きくすることができる。なお、説明の便宜上、下縁ヒートシール部８と傾斜ヒートシール部９とが連なっている部分を第１コーナーＣ１ということがある。
【００２７】
また、傾斜ヒートシール部９の左下端部、即ち、第１コーナーＣ１から傾斜ヒートシール部９の右上端部、即ち、傾斜ヒートシール部９と右側の側部接着部２ｂとが連なっている部分までの部分が第２接着部７を構成している。なお、説明の便宜上、傾斜ヒートシール部９と右側の側部接着部２ｂとが連なっている部分を第２コーナーＣ２ということがある。
【００２８】
そして、第２接着部７は、第１コーナーＣ１における第１接着部６との内角が鈍角をなすように左下端部７ａが第１接着部６の右端部６ｂに連なっている。本実施の形態において、第１接着部６と第２接着部７との内角は、大略１３５°である。したがって、第１コーナーＣ１に内容物が残留しにくく、また、第１コーナーＣ１に残留した内容物を指で容易に押し出すことができる。
【００２９】
また、第２接着部７は、第２コーナーＣ２における右側の側部接着部２ｂとの内角が鈍角をなすように右上端部７ｂが右側の側部接着部２ｂの下端部に連なっている。本実施の形態において、第２接着部７と右側の側部接着部２ｂとの内角は、大略１３５°である。よって、第２接着部７は、一対のフィルム１の下方から上方に向かうに従って、右側の側部接着部２ｂに漸近するように延びている。そして、第２コーナーＣ２に内容物が残留しにくく、また、第２コーナーＣ２に残留した内容物を指で容易に押し出すことができる。
【００３０】
そして、図１に示すように、第１コーナーＣ１が包装用袋１００の幅方向中央に延びる中心線Ｌよりも側部接着部２ａ側に位置するように位置している。即ち、第１接着部６の右端部６ｂと第２接着部７の左下端部７ａとは、一対のフィルム１の左右方向における一対の側部接着部２ａ，２ｂの中央よりも左側の側部接着部２ａ側の位置において連なっている。
【００３１】
また、下縁ヒートシール部８が形成されている一対のフィルム１の下縁、側部接着部２ｂが形成されている側の一対のフィルム１の側縁、及び第２接着部７によって囲まれている三角形の領域が摘み部１２を構成している。なお、一対のフィルム１の下縁、側部接着部２ｂが形成されている側の一対のフィルム１の側縁、及び第２接着部７は、連続して形成されているがこれに限られるものではなく、摘み部１２を取り囲むように断続的に形成されていてもよい。
【００３２】
なお、包装用袋１００は、詳細は後述するように、包装用袋１００の使用時においてこの中心線Ｌに沿って折って畳むことができる。説明の便宜上、この中心線Ｌよりも第１コーナー側の液体収容部４の領域を第１領域Ａ１といい、液体収容部４の他方の領域を第２領域Ａ２ということがある。
【００３３】
そして、液体収容部４の上部の開口を通じて液体収容部４に液体が収容される。そして、一対の液体収容部４の上縁部全体をヒートシールすることによって液体収容部４が密閉される。このヒートシールした部分が上部接着部５を構成する。
【００３４】
また、左側の側部接着部２ａには、外縁から内側に向かって切込み１０が形成されており、使用者が左側の側部接着部２ａの切込み１０の上方及び下方の部分をそれぞれ摘んだ上で、一方を図１における手前方向に引っ張ると共に、他方を図１における奥行方向に引っ張ることによって、切込み１０から包装用袋１００の左右方向に向かう方向に沿って包装用袋１００を切断し、開口１１（図３参照）を形成することができるように構成されている。
【００３５】
［使用例］
以下、図３〜図６を参照しながら、包装用袋１００に収容された液体の内容物を取り出す際の包装用袋１００の使用例を説明する。
【００３６】
まず、側部接着部２ａの切込み１０の下方の部分及び側部接着部２ａの切込み１０の上方の部分をそれぞれ摘んだ上で、一方を図１における手前方向に引っ張ると共に、他方を図１における奥行方向に引っ張り、包装用袋１００を切断して開口１１を形成する。
【００３７】
次に、図３に示すように、包装用袋１００の第２領域Ａ２が第１領域Ａ１よりも下に位置する（側部接着部２ｂが側部接着部２ａよりも下側になる）姿勢となるように包装用袋１００を支持する。このとき、一方の手で摘み部１２を摘むと共に、他方の手で開口１１近傍の側部接着部２ａを摘むことによって、液体収容部４の内容物が加熱されている場合においても、この内容物の熱さを感じることなく、包装用袋１００を支持することができる。
【００３８】
そして、第２接着部７は、一対のフィルム１の下方から上方に向かうに従って、側部接着部２ｂに漸近するように形成されているので、水平面に対する右側の側部接着部２ｂの傾斜角度よりも水平面に対する第２接着部７の傾斜角度が大きくなる。これによって、液体収容部４の底部に収容されている内容物は、第２接着部７に沿って流れ落ち、更に側部接着部２ｂに沿って流れ落ち、開口１１を通じて流出する。このようにして、包装用袋１００の開口１１から、液体収容部４の内部に収容されている内容物を迅速に流し出すことができる。
【００３９】
そして、液体収容部４に収容されている内容物が少なくなると、次に、図４に示すように、両手で一対のフィルム１の第１領域を表面及び裏面から摘み、その上で一方の手をフィルム１に沿って滑らせて第１領域Ａ１をしごき、第１領域Ａ１に収容されている内容物を第１領域Ａ１から第２領域Ａ２又は開口１１に向かって追い出す。
【００４０】
ここで、第１接着部６及び第２接着部７はこれらの内角が鈍角をなすように連なっているので、第１コーナーＣ１をしごくことによって、この部分に残留している内容物を容易に追い出すことができる。
【００４１】
そして、液体収容部４の第１領域Ａ１が空になると、次に、図５に示すように、中心線Ｌに沿って包装用袋１００を折り畳む。
【００４２】
次に、図６に示すように、第２領域Ａ２をしごいて、第２領域Ａ２に収容されている内容物を第２領域Ａ２から開口１１に向かって追い出す。このとき、包装用袋１００は中心線Ｌに沿って折り畳まれているので、第２領域Ａ２に収容されている内容物が中心線Ｌを超えて第１領域Ａ１に侵入することを防ぐことができる。したがって、第１領域Ａ１に位置して設けられている第１コーナーＣ１に内容物が再度侵入することを防ぐことができる。
【００４３】
そして、第２接着部７及び右側の側部接着部２ｂはこれらの内角が鈍角をなすように連なっているので、第２コーナーＣ２をしごくことによって、この部分に残留している内容物を容易に追い出すことができる。また、第１コーナーＣ１と第２コーナーＣ２とは、離れて位置しているので、第２コーナーＣ２をしごくことによってこの部分から追い出された内容物が第１コーナーＣ１に直ちに追い遣られ、第１コーナーＣ１に内容物が再度侵入しないようになっている。よって、再度、第１コーナーＣ１をしごく手間を省くことができる。
【００４４】
このようにして、液体収容部４に収容されている内容物を液体収容部４から開口１１を通じて容易に取り出すことができる。
【００４５】
以上のように、本実施の形態の包装用袋１００は、第２接着部７が、右側の側部接着部２ｂとの内角が鈍角をなすように右上端部７ｂが右側の側部接着部２ｂに連なっているので、使用時において、水平面に対する右側の側部接着部２ｂの傾斜角度よりも水平面に対する第２接着部７の傾斜角度が大きくなる。そして、液体収容部４の底部に収容されている内容物をこの大きく傾斜した第２接着部７に沿って流し出すことができる。よって、液体収容部４の内部に収容されている内容物を迅速に流し出すことができる。
【００４６】
また、傾斜ヒートシール部９が下縁ヒートシール部８と連なっている部分が包装用袋１００の幅方向中央に延びる中心線Ｌよりも側部接着部２ｂ側に位置するように位置しているので、第１コーナーＣ１と第２コーナーＣ２とは、離れて位置している。よって、使用時において、一方の部分をしごくことによってこの部分から追い出された内容物が他方の部分に直ちに追い遣られないようになっている。よって、上記それぞれの部分に残留している内容物を容易に追い出すことができる。また、包装用袋１００を中心線Ｌに沿って折り畳むことによって、第１コーナーＣ１と、第２コーナーＣ２とは、中心線Ｌを介して反対側に位置するので、一方の部分をしごくことによってこの部分から追い出された内容物が他方の部分に追い遣られないようにすることができ、更に上記それぞれの部分に残留している内容物を容易に追い出すことができる。
【００４７】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４８】
本考案の食品包装用袋は、食品を包装する用途に有用である。
【符号の説明】
【００４９】
１  フィルム
２ａ  側部接着部
２ｂ  側部接着部
３  下部接着部
４  液体収容部
５  上部接着部
６  第１接着部
６ａ  左端部
６ｂ  右端部
７  第２接着部
７ａ  左下端部
７ｂ  右上端部
８  下縁ヒートシール部
９  傾斜ヒートシール部
１０  切込み
１１  開口
１２  摘み部
１００  包装用袋
【図１】
0003182394.tif 000003
【図２】
0003182394.tif 000004
【図３】
0003182394.tif 000005
【図４】
0003182394.tif 000006
【図５】
0003182394.tif 000007
【図６】
0003182394.tif 000008